(57)【要約】【課題】側面放射型の発光ダイオードを用いて、反射鏡に対する発光ダイオードの位置調整を簡便化した照明装置を提供すること。【解決手段】発光ダイオード１１を有する光源部１から放射された光を反射鏡２によって反射する照明装置において、発光ダイオード１１を反射鏡２の光軸と交差する方向に光を放射するとともに、反射鏡２の光軸上のみに配置し、光源部１が、発光ダイオード１１と、発光ダイオード１１を固定する固定部材１２と、反射鏡２に対する発光ダイオード１１の位置を調整する調整部材１３とから構成され、調整部材１３の貫通孔１３１に固定部材１２の柱状部１２２を挿入し、反射鏡２の頂部の内部に空間が形成された首部２１に光源部１を挿入し、調整部材１３の底部１３２を反射鏡２の首部２１の底部２１２に当接させることにより、発光ダイオード１を反射鏡２に対して所定の位置に規定する。【選択図】        図１
2004265730.tif 000002
【特許請求の範囲】
【請求項１】
発光ダイオードを有する光源部から放射された光を反射鏡によって反射する照明装置において、
前記発光ダイオードは、前記反射鏡の光軸と交差する方向に光を放射するとともに、前記反射鏡の光軸上のみに配置されていることを特徴とする照明装置。
【請求項２】
前記光源部は、発光ダイオードと、該発光ダイオードを固定する固定部材と、前記反射鏡に対する発光ダイオードの位置を調整する調整部材とからなり、
前記固定部材は、前記発光ダイオードを載置するための大径の載置部と、該載置部に続き前記発光ダイオードとは反対方向に伸びる小径の柱状部とからなり、
前記調整部材は、中心に貫通孔を有し、該貫通孔に前記固定部材の柱状部が挿入されてなり、
前記反射鏡は、該反射鏡の頂部の内部に空間が形成された首部を有し、該首部はその底部に貫通孔を有し、
前記光源部を前記反射鏡の首部に挿入するとともに、前記調整部材の底部が前記反射鏡の首部の底部に当接することにより、前記発光ダイオードが前記反射鏡に対して所定の位置に規定されることを特徴とする請求項１に記載の照明装置。
【請求項３】
前記柱状部の表面に螺旋状のネジ溝を設けるとともに、前記調整部材の貫通孔の内面に螺旋状のネジ溝を設け、前記柱状部と前記調整部材とを螺合することによって、前記載置部と前記調整部材との離間距離を調整可能に構成したことを特徴とする請求項２に記載の照明装置。
【請求項４】
前記固定部材と前記調整部材は金属よりなり、前記固定部材の外周面および前記調整部材の外周面と前記反射鏡の首部内周面との間に放熱機能を有する充填剤を充填して固定したことを特徴とする請求項２に記載の照明装置。
【発明の詳細な説明】
【０００１】
【発明の属する技術分野】
本発明は、発光ダイオードを光源として利用した照明装置に関する。
【０００２】
【従来の技術】
従来は、スポット照明用の照明装置としては、反射鏡の内部に白熱電球を配置した照明装置が広く利用されている。
しかし、これらの照明装置は、白熱電球を使用しているので消費電力が大きく、また、熱的影響を周囲に及ぼすため、最近では発光ダイオードを光源として利用した照明装置が使われるようになっている。
【０００３】
さらに、発光ダイオードを光源とする照明装置を普及させるためには、既に市場に出回っている白熱電球を光源とした照明装置、つまり、反射鏡によって集光された光を一定の方向に指向性を持って放射する照明装置を利用して、ランプの交換がほぼ不要な光源としての発光ダイオードを利用することが最も効果的であると考えられている。
特開平１１−１７２２８号公報には、このような照明装置の一例が開示されている。
【０００４】
【特許文献１】
特開平１１−１７２２８号公報
【０００５】
【発明が解決しようとする課題】
しかしながら、発光ダイオードを用いた照明装置では、上記公報にも示されているように、通常、複数の発光ダイオードを用いているため、適正な配光特性を得るためには各発光ダイオードを反射鏡に対して適切な位置に配置し調整する必要があり、調整に手間取り、作業性が良くなかった。
【０００６】
本発明の目的は、上記の問題点に鑑み、近年開発が進んでいる発光ダイオードの長手方向と直交する方向に光を放射する、いわゆる側面放射型の発光ダイオードを用いて、反射鏡に対する発光ダイオードの位置調整を簡便化することを可能にした照明装置を提供することにある。
【０００７】
【課題を解決するための手段】
本発明は、上記の課題を解決するために、次のような手段を採用した。
第１の手段は、発光ダイオードを有する光源部から放射された光を反射鏡によって反射する照明装置において、前記発光ダイオードは、前記反射鏡の光軸と交差する方向に光を放射するとともに、前記反射鏡の光軸上のみに配置されていることを特徴とする。
【０００８】
第２の手段は、第１の手段において、前記光源部は、発光ダイオードと、該発光ダイオードを固定する固定部材と、前記反射鏡に対する発光ダイオードの位置を調整する調整部材とからなり、前記固定部材は、前記発光ダイオードを載置するための大径の載置部と、該載置部に続き前記発光ダイオードとは反対方向に伸びる小径の柱状部とからなり、前記調整部材は、中心に貫通孔を有し、該貫通孔に前記固定部材の柱状部が挿入されてなり、前記反射鏡は、該反射鏡の頂部の内部に空間が形成された首部を有し、該首部はその底部に貫通孔を有し、前記光源部を前記反射鏡の首部に挿入するとともに、前記調整部材の底部が前記反射鏡の首部の底部に当接することにより、前記発光ダイオードが前記反射鏡に対して所定の位置に規定されることを特徴とする。
【０００９】
第３の手段は、第２の手段において、前記柱状部の表面に螺旋状のネジ溝を設けるとともに、前記調整部材の貫通孔の内面に螺旋状のネジ溝を設け、前記柱状部と前記調整部材とを螺合することによって、前記載置部と前記調整部材との離間距離を調整可能に構成したことを特徴とする。
【００１０】
第４の手段は、第２の手段において、前記固定部材と前記調整部材は金属よりなり、前記固定部材の外周面および前記調整部材の外周面と前記反射鏡の首部内周面との間に放熱機能を有する充填剤を充填して固定したことを特徴とする。
【００１１】
【発明の実施の形態】
本発明の第１の実施形態を図１を用いて説明する。
図１は本実施形態の発明に係る照明装置の構成を示す平面断面図である。
【００１２】
同図において、１は発光ダイオード１１と、発光ダイオード１１を固定する固定部材１２と、反射鏡２に対して発光ダイオード１１の位置を調整する調整部材１３とからなる光源部、１１は反射鏡２の光軸と交差する方向に光を放射するとともに、反射鏡２の光軸Ｘ上のみに配置された発光ダイオード、１２は載置部１２１と柱状部１２２とからなり、発光ダイオード１１を固定する金属からなる固定部材、１２１は発光ダイオード１１を載置するための大径の載置部、１２２は載置部１２１に続き発光ダイオード１１とは反対方向に伸びる小径の柱状部、１３は軸方向に所定の厚さを有するとともに、中心に貫通孔１３１を有し、貫通孔１３１に固定部材１２の柱状部１２２が挿入される金属からなる調整部材、１３１は貫通孔、１３２は調整部材１３の底部、２は発光ダイオード１１を有する光源部１から放射された光を反射する反射鏡、２１は反射鏡２の頂部の内部に空間が形成された首部、２１１は反射鏡２の首部２１の底部、２１２は首部２１の底部２１１に設けた貫通孔、３はベース、４は固定部材１２の外周面および調整部材１３の外周面と反射鏡２の首部２１内周面との間に充填された放熱機能を有するシリコーン樹脂やエポキシ樹脂よりなる充填剤、５はリード線、６はそれぞれのリード線５，５が螺旋状給電用口金とハンダによって結合された接点である。
【００１３】
なお、図示していないが、発光ダイオード１１から出たリード線５は、載置部１２１の側部に設けた溝、調整部材１３の側部に設けた溝、および底部２１１の貫通孔２１２を通ってベース３側に引き出される。
【００１４】
同図に示すように、本実施形態の発明に係る照明装置によれば、発光ダイオード１１として、反射鏡２の光軸と交差する方向に光を放射する、いわゆる側面放射型の発光ダイオードを用いるとともに、反射鏡２の光軸Ｘ上のみに配置するようにしたので、従来の照明装置のように、複数の発光ダイオードを用いる必要がなく、１つの発光ダイオード１１を用いて照明装置を構成することができるので、反射鏡２に対する位置調整を１個の発光ダイオード１１についてのみ行えばよくなり、位置調整のための作業性が改善される。
【００１５】
また、調整部材１３は、軸方向に所定の厚さを有するので、発光ダイオード１１を固定部材１２の載置部１２１に載せ、固定部材１２の柱状部１２２を調整部材１３の貫通孔１３１に貫通して重ね合わせ、調整部材１３の底部１３２を反射鏡２の首部２１の底部２１１に載置することにより、反射鏡２に対する発光ダイオード１１の位置調整を簡単に行うことができる。
【００１６】
また、反射鏡２の首部２１内の空間に充填剤４を塗っておき、その状態で光源部１を首部２１内に挿入することにより、固定部材１２の外周面および調整部材１３の外周面と反射鏡２の首部２１内周面との間に充填剤４が充填され、光源部１を反射鏡２に対して接着固定することができる。
【００１７】
また、発光ダイオード１１は発熱するが、発光ダイオード１１から発生した熱は、金属製の固定部材１２および調整部材１３、さらには熱伝導率の高い充填剤４を介して反射鏡２の首部２１に伝達され、さらに首部２１やベース３から放熱されるので、発光ダイオード１１の熱を十分に逃がすことができるので、発光ダイオード１１の熱的損傷を防止することができる。
【００１８】
次に、本発明の第２の実施形態を図２を用いて説明する。
図２は本実施形態の発明に係る照明装置の構成を示す平面断面図である。
【００１９】
同図において、１２３は固定部材１２の柱状部１２２の表面に形成された螺旋状のネジ溝、１３３は調整部材１３の貫通孔１３１の内面に形成された螺旋状のネジ溝である。
なお、その他の構成は、図１に示した同符号の構成に対応するので説明を省略する。
【００２０】
同図に示すように、本実施形態の発明に係る照明装置によれば、発光ダイオード１１を固定部材１２の載置部１２１に載せ、固定部材１２の柱状部１２２のネジ溝１２３と調整部材１３のネジ溝１３３とを螺合することによって、載置部１２１と調整部材１３との離間距離を調節し、その後、調整部材１３の底部１３２を反射鏡２の首部２１の底部２１１に載置することにより、反射鏡２に対する発光ダイオード１１の位置調整を適切かつ簡便に行うことができる。
【００２１】
また、反射鏡２の首部２１内の空間に充填剤４を塗っておき、その状態で光源部１を首部２１内に挿入し、光源部１を反射鏡２に対して接着固定することにより、第１の実施形態と同様の作用効果を奏することができる。
【００２２】
【発明の効果】
請求項１に記載の発明によれば、発光ダイオードを有する光源部から放射された光を反射鏡によって反射する照明装置において、発光ダイオードとして、反射鏡の光軸と交差する方向に光を放射する、側面放射型の発光ダイオードを用いるとともに、反射鏡の光軸上のみに配置するようにしたので、１個の発光ダイオードを用いて照明装置を構成することが可能となり、従来の複数の発光ダイオードを用いる場合に比べて、反射鏡に対する位置調整を１個の発光ダイオードについてのみ行えばよくなり、位置調整のための作業性が改善される。
【００２３】
請求項２に記載の発明によれば、調整部材は、軸方向に所定の厚さを有するので、発光ダイオードを固定部材の載置部に載せ、固定部材の柱状部を調整部材の貫通孔に貫通して重ね合わせ、調整部材の底部を反射鏡の首部の底部に載置することにより、反射鏡に対する発光ダイオードの位置調整を簡単に行うことが可能となる。
【００２４】
請求項３に記載の発明によれば、柱状部の表面に螺旋状のネジ溝を設けるとともに、調整部材の貫通孔の内面に螺旋状のネジ溝が設け、柱状部と調整部材とを螺合することによって、載置部と調整部材との離間距離を調整可能に構成したので、発光ダイオードを固定部材の載置部に載せ、固定部材の柱状部のネジ溝と調整部材のネジ溝とを螺合することによって、載置部と調整部材との離間距離を調節し、調整部材の底部を反射鏡の首部の底部に載置することにより、反射鏡に対する発光ダイオードの位置調整を適切かつ簡便に行うことが可能となる。
【００２５】
請求項４に記載の発明によれば、固定部材と調整部材は金属よりなり、固定部材の外周面および調整部材の外周面と反射鏡の首部内周面との間に放熱機能を有する充填剤を充填するようにしたので、光源部を反射鏡に対して接着固定することができ、また、発光ダイオードから発生した熱は、金属製の固定部材および調整部材、さらには熱伝導率の高い充填剤を介して反射鏡の首部に伝達され、首部から外部に放熱させることができるので、発光ダイオードの熱を十分に逃がすことができ、発光ダイオードの熱的損傷を防止することができる。
【図面の簡単な説明】
【図１】第１の実施形態の発明に係る照明装置の構成を示す平面断面図である。
【図２】第２の実施形態の発明に係る照明装置の構成を示す平面断面図である。
【符号の説明】
１  光源部
１１  発光ダイオード
１２  固定部材
１２１  載置部
１２２  柱状部
１２３  ネジ溝
１３  調整部材
１３１  貫通孔
１３２  底部
１３３  ネジ溝
２  反射鏡
２１  首部
２１１  底部
２１２  貫通孔
３  ベース
４  充填剤
５  リード線
６  接点
【図１】
2004265730.tif 000003
【図２】
2004265730.tif 000004